Podtech/llm-jp-corpus-v4-ja_patent huggingface dataset:
(57)【要約】      （修正有）【課題】表示画面に貼り付けるフィルムに芳香発生機能を持たせ、携帯電話機やオフィス機器の使用が心地良く行えるようにする。【解決手段】機器の表示画面上に貼り付け使用する透光性の表示画面貼り付け用フィルム１において、香料２４が封入されたマイクロカプセル２２が混入されたインキ２５により表面に印刷層４、５が形成されてなるもの。【選択図】図２
0003117874.tif 000002
【実用新案登録請求の範囲】
【請求項１】
機器の表示画面上に貼り付け使用する透光性の表示画面貼り付け用フィルムにおいて、
香料が封入されたマイクロカプセルが混入されたインキにより表面に印刷層が形成されてなることを特徴とする表示画面貼り付け用フィルム。
【考案の詳細な説明】
【技術分野】
【０００１】  この考案は、携帯電話機やオフィス機器の表示画面に貼り付け使用される表示画面貼り付け用フィルムに関する。
【背景技術】
【０００２】  最近においては携帯電話機において表示画面を保護するように、また、表示画面の覗き見を防止できるようにフィルムを貼ることが行われている。
【考案の開示】
【考案が解決しようとする課題】
【０００３】  この考案では、上記の貼り付けフィルムに芳香発生機能を持たせ、携帯電話機やオフィス機器の使用が心地良く行えるようにすることを特徴とする。
【課題を解決するための手段】
【０００４】  この考案では、機器の表示画面上に貼り付け使用する透光性の表示画面貼り付け用フィルムにおいて、香料が封入されたマイクロカプセルが混入されたインキにより表面に印刷層が形成されてなるものを提供する。【０００５】  この表示画面貼り付け用フィルムが機器の表示画面上に貼り付け使用されると、機器の使用に際して表示画面が見やすくなるようにその表面をクリーナーで拭くと、印刷層上面に位置するマイクロカプセルが破壊されることで内部の香料が外部に漏れ出し、この香料から芳香が発せられる。この芳香が漂う中で機器が心地良く使用できる。【０００６】  携帯電話機用のこの種表示画面貼り付け用フィルムとして装飾性の高いものが好まれるが、この考案の表示画面貼り付け用フィルムはその装飾性を高めるための印刷層が芳香発生部として兼用される無駄のない構成を持つものである。
【考案の効果】
【０００７】  この考案によれば、表示画面貼り付け用フィルムを表示画面に貼り付け使用することで表示画面部分を拭くことにより芳香が発生するので、携帯電話機やオフィス機器の使用が心地良く行えるようになる。
【考案を実施するための最良の形態】
【０００８】  図１はこの考案の表示画面貼り付け用フィルムの実施形態であるフィルム１の使用状態を示す斜視図、図２は部分拡大概念断面図であり、フィルム１は携帯電話機１０の表示画面１１上に貼り付けられて用いられている。【０００９】  フィルム１は覗き見防止機能を持つポリエステル製の透明のフィルム本体２の表面の略中央位置にキャラクター模様４が付されるとともに、周縁位置に沿って装飾模様５が付されて構成されている。上記キャラクター模様４、装飾模様５が印刷層を構成する。フィルム本体２としては真上からは下方が透視でき、斜め位置からは表面反射等により下方の透視ができないようにする覗き見防止機能を持つものであれば、適宜構成のものが使用される。【００１０】  上記キャラクター模様４と装飾模様５とはシルク印刷により形成されるもので、その際に使用するインキ２５としては、ビヒクル２０に着色顔料２１に加えて液状の香料２４が封入されたマイクロカプセル２２と抗菌剤２３とが混入されたものを用いる。【００１１】  上記のようなインキ２５が用いられてキャラクター模様４と装飾模様５とが形成されたことで、携帯電話機１０の使用に際して表示画面１１が見やすくなるようにその表面をクリーナー等で拭くと、キャラクター模様４、装飾模様５を形成するインキ２５層上面に位置するマイクロカプセル２２が破壊されることで内部の香料２４が外部に漏れ出し、この香料２４から芳香が発せられる。この芳香が漂う中で携帯電話機１０が心地良く使用できる。長期の使用に伴って拭き動作を繰り返し行うことでインキ層２５は摩耗し、これによインキ層２５内部のマイクロカプセル２２も破壊されてその香料２４による芳香が発せられる。【００１２】  また、抗菌剤２３の働きにより雑菌の繁殖が抑えられて携帯電話機１０は衛生的に保たれるとともに、雑菌繁殖に伴う悪臭の発生も防止されることで香料２４による芳香がより良好に漂うこととなる。【００１３】  図３はこの考案の表示画面貼り付け用フィルムの他の実施形態を示し、この実施形態においてはフィルム１００はパソコン１０１の表示画面１０２上に貼り付けられて用いられている。フィルム１００表面にはその周縁に沿う位置に上記の実施形態において使用されたインキ２５と同様のインキでの印刷による縁模様１０５が設けられており、パソコン１０１の使用に際してフィルム１００面が拭かれると縁模様１０５を形成するインキ上面に位置するマイクロカプセルが破壊されることで内部の香料が外部に漏れ出し、この香料から芳香が発せられる。この芳香が漂う中でパソコン１０１が心地良く使用でき、また、抗菌剤の働きにより雑菌の繁殖が抑えられてパソコン１０１は衛生的に保たれるとともに、雑菌繁殖に伴う悪臭の発生も防止されることで芳香がより良好に漂うこととなる。
【図面の簡単な説明】
【図１】  この考案の表示画面貼り付け用フィルムの実施形態であるフィルムの使用状態を示す斜視図
【図２】  この考案の表示画面貼り付け用フィルムの実施形態であるフィルムの部分拡大概念断面図
【図３】  この考案の表示画面貼り付け用フィルムの他の実施形態であるフィルムの使用状態を示す斜視図
【符号の説明】
１    フィルム（表示画面貼り付け用フィルム）
１０  携帯電話機（機器）
１１  表示画面
４    キャラクター模様（印刷層）
５    装飾模様（印刷層）
２２  マイクロカプセル
２４  香料
２５  インキ
【図１】
0003117874.tif 000003
【図２】
0003117874.tif 000004
【図３】
0003117874.tif 000005
(57)【要約】      （修正有）【課題】トイレットペーパーやキッチンペーパータオルの使用時、片手で使えるホルダーを提供する。【解決手段】ペーパーホルダー下部に、スイングする２枚の板状のものを設け、その２枚の板の間にペーパー１を通す。２枚の板がリンク状にスイングするため、ペーパーを使用者が手前に引いた時、ペーパーを２枚の板が挟み、片手のみの操作で、ペーパーの引き出しとカットを行える。ペーパーをカットした後は、２枚の板が自重で鉛直に垂れ下がるため、指先で容易につまめる長さのペーパーが板の下にのぞき、そのため、ペーパー以外に手を触れることなく、なおかつ、片手のみにて、全ての作業が可能となる。【選択図】図１
0003117843.tif 000002
【実用新案登録請求の範囲】
【請求項１】
ロール状の紙類（トイレットペーパーやキッチンペーパーなど）のペーパーホルダー下部に、スイングする２枚の板状のものを設け、その２枚の板の間にペーパーを通し、ペーパーを使用者が手前に引いた時、ペーパーを、２枚の板が挟み、片手のみの操作で、ペーパーのひきだしとカットを行え、カットした後は、２枚の板が自重で鉛直に垂れ下がるため、指先で容易につまめる長さのペーパーが板の下にのぞき、そのため、ペーパー以外に手を触れることなく、なおかつ片手のみにて全ての作業が可能なペーパーカッター。
【考案の詳細な説明】
【考案の詳細な説明】
【考案が解決しようとする課題】
【０００１】  従来、トイレットペーパーやキッチンペーパータオルのホルダーの使用時、左右両手を使わなくてはならないという問題があった。
【課題を解決するための手段】
【０００２】  従来型のペーパーホルダー下部に、スイングする２枚の板状のものを設け、その２枚の板の間にペーパーを通す。
【考案の効果】
【０００３】  ２枚の板がリンク状にスイングするため、ペーパーを使用者が手前に引いた時、ペーパーを２枚の板が挟み、片手のみの操作で、ペーパーのひきだしとカットを行える。ペーパーをカットした後は、２枚の板が自重で鉛直に垂れ下がるため、指先で容易につまめる長さのペーパーが板の下にのぞき、そのため、ペーパー以外に手を触れることなく、なおかつ、片手のみにて、全ての作業が可能となる。
【図面の簡単な説明】
【図１】  全体の構成を示す図
【図２】  紙を真下に引き出した状態を示す側面図
【図３】  紙を手前に引き、カットしようとする図
【図４】  紙をカットした後、スイング板が鉛直にさがるため、紙が下に出ている状態を示す図
【符号の説明】
１  ロール状の紙
２  スイングする板（後）
３  スイングする板（前）
４  固定された軸
【図１】
0003117843.tif 000003
【図２】
0003117843.tif 000004
【図３】
0003117843.tif 000005
【図４】
0003117843.tif 000006
【手続補正書】
【提出日】平成17年7月4日(2005.7.4)
【手続補正１】
【補正対象書類名】実用新案登録請求の範囲
【補正対象項目名】全文
【補正方法】変更
【補正の内容】
【実用新案登録請求の範囲】
【請求項１】
ロール状の紙類のホルダー下部に、スイングする２枚の板状のものを設け、その２枚の板の間にペーパーを通し、ペーパーを使用者が手前に引いた時、ペーパーを、２枚の板が挟み、片手のみの操作で、ペーパーのひきだしとカットを行え、カットした後は、２枚の板が自重で鉛直に垂れ下がるため、指先で容易につまめる長さのペーパーが板の下にのぞき、そのため、ペーパー以外に手を触れることなく、なおかつ片手のみにて全ての作業が可能なペーパーカッター。
(57)【要約】      （修正有）【課題】お手軽持ち運びもも楽々で、更には人為的に確率をも操作できる予想兼用トランプカードを提供する。【解決手段】数字選択式宝くじ、ｔｏｔｏサッカーくじ予想兼用トランプカードは、国際標準サイズのブリッジサイズで５８×８９ｍｍである。左右対称に斜め半分で区分けしている。半分は通常のトランプで、もう半分が予想選択する為のロト６、ミニロト、ナンバーズ４、ナンバーズ３、ｔｏｔｏサッカーくじ、ｔｏｔｏゴールくじ、競馬等の枠番、馬番予想数字が印刷されている。【選択図】図１
0003117845.tif 000002
【実用新案登録請求の範囲】
【請求項１】
既存のトランプにロト６、ミニロト、ナンバーズ４、ナンバーズ３、ｔｏｔｏサッカーくじ、ｔｏｔｏゴールくじ、競馬等の枠番、馬番予想の出来ることを特徴とする数字選択式宝くじ、ｔｏｔｏサッカーくじ予想兼用トランプカード。
【請求項２】
前記の予想の出来るとはトランプを斜め半分から対象に２分割しその半分に複数設けられたそれぞれの数字によって予想出来る事を特徴とする請求項１記載の数字選択式宝くじ、ｔｏｔｏサッカーくじ予想兼用トランプカード。
【請求項３】
数字選択式宝くじ、ｔｏｔｏサッカーくじ予想兼用トランプカードの中心には、１から４３までの数字が色分けされた円の中に記載されている。
【考案の詳細な説明】
【技術分野】
【０００１】  この発明は、通常のトランプとしての使用方法意外に数字選択式宝くじ（ロト６、ミニロト、ナンバーズ４、ナンバーズ３）の購入番号予想と、ｔｏｔｏサッカーくじ、ｔｏｔｏゴールくじ、競馬等の枠番号予想、馬番号予想等も兼用出来るトランプカードである。
【背景技術】
【０００２】  従来のトランプは、遊戯方法は数知れずありますが、もちろんトランプ遊戯専用。また、数字選択式宝くじのミニロト、ロト６兼用型専用カードもある。（例えば、非特許文献１参照。）
【非特許文献１】ｙａｈｏｏオークション出品分（出品者ＩＤ：ｒｉｋｋａｄｏ９９１８）に「招福ロトナンカード」という名称でミニロト、ロト６、ナンバーズ専用カードはある。
【考案の開示】
【考案が解決しようとする課題】
【０００３】  以上に述べた従来の「トランプ」と「招福ロトナンカード」がありますが、予想となると電気計算機型又は、パソコンソフト等による数字選択式宝くじの予想方法はありましたが、手軽さがなかった。
そこで、この発明は、お手軽持ち運びもも楽々。更には人為的に確率をも操作できる優れものを提供することを課題とする。
【課題を解決するための手段】
【０００４】  以上の課題を解決するために、本考案は、トランプを左右対称に斜め半分にしたことを特徴とする数字選択式宝くじ予想付トランプ。
また、第二考案は、ｔｏｔｏサッカーくじ、ｔｏｔｏゴールくじ予想付を特徴とするトランプ。  また、第三発明は、競馬、競輪、オートレース、競艇等の枠のある予想と番号予想。
【考案の効果】
【０００５】  いかなる場所でも、お手軽予想が可能になった。トランプ自体、一家にひとつは必ず必要な必需品である。
【考案を実施するための最良の形態】
【０００６】  この考案の一実施形態を、図１に示す。
数字選択式宝くじ、ｔｏｔｏサッカーくじ予想兼用トランプカードは、国際標準サイズのブリッジサイズで５８×８９ｍｍである。左右対称に斜め半分で区分けしている。半分は通常のトランプで、もう半分が予想選択する為のロト６、ミニロト、ナンバーズ４、ナンバーズ３、ｔｏｔｏサッカーくじ、ｔｏｔｏゴールくじ、競馬等の枠番、馬番予想数字が印刷されている。【０００７】「実施例の効果」
この実施例によれば、トランプ遊びをする時の右利きの人の持ち方（扇状態に広げた時）を優先にデザインされている。扇状態に広げた時にトランプを見ていただけたらトランプ遊戯上になんら差し支えなく視線を遮らず違和感なく使用出来る形態のデザイン印刷である。【０００８】「他の実施形態」
図１の実施形態では、トランプ遊びをする時の右利きの人の持ち方（扇状態に広げた時）を優先にデザインされている。又、左利き優先用としてのトランプは間逆に作成印刷されている。
【図面の簡単な説明】
【０００９】
【図１】この考案の一実施例を示す図である。
【図２】従来技術通常のトランプを示す図である。
【符号の説明】
【００１０】１  ｔｏｔｏサッカーくじ予想専用
２  ｔｏｔｏゴールくじ予想専用
３  Ｍｉｎｉロト、ロト６、枠予想、番号予想専用
４  ナンバ−ズ３＆４予想専用
５  既存のトランプとして使用
【図１】
0003117845.tif 000003
【図２】
0003117845.tif 000004
【手続補正書】
【提出日】平成17年6月30日(2005.6.30)
【手続補正１】
【補正対象書類名】実用新案登録請求の範囲
【補正対象項目名】全文
【補正方法】変更
【補正の内容】
【実用新案登録請求の範囲】
【請求項１】
数字が記載された面を、斜め半分から対照に２分割し、その半分にロト６、ミニロト、ナンバーズ４、ナンバーズ３、ｔｏｔｏサッカーくじ、ｔｏｔｏゴールくじ、競馬、競輪、競艇、オートレース等の枠番及び単走番号予想の為の複数の数字が記載されていることを特徴とするトランプカード。
【請求項２】
前記の予想の出来るとはトランプを斜め半分から対象に２分割しその半分に複数設けられたそれぞれの数字によって予想出来る事を特徴とする請求項１記載の数字選択式宝くじ、ｔｏｔｏサッカーくじ予想兼用トランプカード。
(57)【要約】      （修正有）【課題】通常使用し得る名刺の台紙を縦方向に２分割できる切断線を有する台紙で構成し、２分割にした際に、分割後の各々の断片が千社札として利用できるのみならず、名刺として機能する。【解決手段】名刺中央部分に分割可能な切断線を有した台紙であって、表面の半分には千社札デザインの個人情報を、もう半分には同様のデザインの団体情報を記載し、各々の裏面には表面と異なる情報を記載することにより、２分割して千社札として保存した際にも名刺機能を損なわず千社札という日本の文化を伝承できる。【選択図】図１
0003117849.tif 000002
【実用新案登録請求の範囲】
【請求項１】
名刺中央部分に分割可能な切断線（長辺に限る）を有した台紙であって、表面の半分には千社札デザインの個人情報を、もう半分には同様のデザインの団体情報を記載し、各々の裏面には表面と異なる情報を記載することを特徴とする装飾名刺。
【考案の詳細な説明】
【技術分野】
【０００１】本発明は、通常使用し得る名刺の台紙を縦方向に２分割できる切断線を有する台紙で構成し、２分割にした際に、分割後の各々の断片が千社札として利用できるのみならず、名刺として機能するよう考案されている。
【背景技術】
【０００２】名刺は、個人の情報と、その所属する団体等の情報を１枚の紙に簡単に表現し、渡す相手にそれを知らしめるアイテムでしかなかった。
【考案の開示】
【考案が解決しようとする課題】
【０００３】名刺は１辺が９０ｍｍもう１辺が５５ｍｍの紙片に個人とその所属する団体等のプロフィールを記載したものであり、それ以上の情報を狭い紙片上に記載することは好ましくない。ましてや縦２分割した紙片には到底情報は収まらない。しかしながら本考案における千社札として活用するという目的からは２分割した紙片上にすべての情報を収めてしまわなければならない。
【課題を解決するための手段】
【０００４】本発明では課題解決のため下記の手段を採用する。請求項１では、名刺中央部分に分割可能な切断線（長辺に限る）を有した台紙であって、表面の半分には千社札デザインの個人情報を、もう半分には同様のデザインの団体情報を記載し、各々の裏面には表面と異なる情報を記載することを特徴とする装飾名刺
【考案の効果】
【０００５】以上説明したように本発明は、日本の文化である千社札を既存の名刺に取り入れ、かつ名刺の機能をそのままでも発揮し、分割しても発揮するよう考案したものである。
【考案を実施するための最良の形態】
【０００６】図面を参照して、本発明を詳細に説明すると、
図１は考案する当該名刺の全体図である。
図２で示すとおり、名刺を２分割した際、千社札のイメージは損なわない。（千社札の縦横の比率は四寸八分（１５．２ｃｍ）×１寸六分（４．８ｃｍ）で比率は３．１：１（小数点２位以下切捨て）であり名刺を２分割した形状は９ｃｍ×２．７５ｃｍ（小数点２位以下切捨て）で比率は３．２：１とほぼ同様である。）
図３は分割する為の切断線を示している。この切断線は長辺と平行に中心部に設けられる。
図４は名刺の表面と裏面の違いを示している。分割することなく１枚の名刺として利用することも可能であり、２分割して利用することも可能である。
【図面の簡単な説明】
【０００７】
【図１】  本発明全体図
【図２】  本発明と千社札との比率表示図
【図３】  本発明の台紙の構造図
【図４】  本発明の表面と裏面
【符号の説明】
【０００８】ａ  千社札の横幅
２ａ  千社札の横幅の２倍である名刺の幅
【図１】
0003117849.tif 000003
【図２】
0003117849.tif 000004
【図３】
0003117849.tif 000005
【図４】
0003117849.tif 000006
(57)【要約】      （修正有）【課題】構造が簡単で、コストの低く、且つ、操作の便利で快適である折畳み継目を提供する。【解決手段】前折畳み体２と、後折畳み体６とを含み、前、後折畳み体の一端が、ヒンジピン１を介してヒンジされる剛性ロッド部材９，１０を接続する折畳み継目であって、後折畳み体の他端は、ロックピン３により一つのロックフック４とヒンジされ、ロックフックの自由端はフック状になり、他端は弾性体５によって後者の折畳み体と接続され、ロックフックはロックピンを中心として回転可能であることを特徴とする。これにより、操作が便利であり、構造が簡単であり、コストが経済的である。【選択図】図２
0003117847.tif 000002
【実用新案登録請求の範囲】
【請求項１】
前折畳み体（２）と、後折畳み体（６）とを含み、前折畳み体（２）及び後折畳み体（６）の一端が、ヒンジピン（１）を介してヒンジされる剛性ロッド部材（９）、（１０）を接続する折畳み継目であって、後折畳み体（６）の他端は、ロックピン（３）により一つのロックフック（４）とヒンジされ、ロックフック（４）の自由端はフック状となり、他端は弾性体（５）によって後者の折畳み体と接続され、ロックフック（４）はロックピン（３）を中心として回転可能であることを特徴とする剛性ロッド部材を接続する折畳み継目。
【請求項２】
後折畳み板の前折畳み板と対向している面に階段（７）を有し、その二つの折畳み体（２）、（６）が繋がる時に、階段（７）が両者の間で全体の剛性を増加するように抵接されることを特徴とする請求項１記載の剛性ロッド部材を接続する折畳み継目。
【請求項３】
その弾性体は、一つ又は複数であり、圧縮ばね（５）を有しており、またロックピン（３）にはねじりばね（８）があり、ロックフックに与える力は、一つだけの圧縮ばね（５）、又は一つだけのねじりばね（８）、又は二つのばねを共通に使用して印加させることができることを特徴とする請求項１記載の剛性ロッド部材を接続する折畳み継目。
【請求項４】
ロックフック（４）の後端にはねじ穴が開口され、調節ねじボルト（１１）はねじ穴に挿し込まれ、ロックピン（３）を貫通するねじ（１２）と調節ねじボルト接続用の挟持ロックピン（３）とを有することを特徴とする請求項１記載の剛性ロッド部材を接続する折畳み継目。
【考案の詳細な説明】
【技術分野】
【０００１】
本考案は、折畳み継目に関するものである。
【背景技術】
【０００２】
多くの領域では折畳み継目が使用されるようになり、例えば、折畳み自転車、折畳みテント、建築用の棚、健身機器等が挙げられる。従来の折畳み継目であって、その操作が便利なものは、その構造が複雑であり、コストも高いという問題点があった。また、ある折畳み継目は、構造が簡単であったが、操作が不便である問題点があった。
【考案の開示】
【考案が解決しようとする課題】
【０００３】
本考案は上記の問題点を解消するものであり、その目的とするところは、構造が簡単で、コストの低く、且つ、操作の便利である折畳み継目を提供することにある。
【課題を解決するための手段】
【０００４】
本考案に係る剛性ロッド部材を接続する折畳み継目であって、前折畳み体と、後折畳み体とを含み、前、後折畳み体の一端はヒンジされており、後折畳み体の他端には一つのロックフックがヒンジされ、当該ロックフックの自由端はフック状となされ、ロックフックに対して内向きの力を加える弾性体を有することを特徴とする。
【０００５】
本考案に係る折畳み継目は、互いにヒンジされる二つの折畳み体を有し、その中、一つの折畳み体の他端にはロックフックがヒンジされている。二つの折畳み体が繋がる場合には、他方の折畳み体と抵接して推進され、ロックフックを開かせる。繋がった場合に、ロックフックはばねの弾力により自動的に復元され、繋がった後の二つの折畳み体を自動的にロックさせ、そのロック動作は自動的に完成され、操作は非常に便利である。前記した継目の部品数は少なく、構造は簡単であり、コストは低いとことである。
【考案を実施するための最良の形態】
【０００６】
剛性ロッド部材９、１０を接続する折畳み継目であって、前折畳み体２と、後折畳み体６とを含み、前、後折畳み体の一端はヒンジピン１によりヒンジされ、後折畳み体６の他端にはロックピン３で一つのロックフック４がヒンジされ、ロックフック４の自由端はフック状となり、他端は弾性体５を介して後者の折畳み体と接続され、ロックフック４はロックピン３を中心として回転することが可能である。
【０００７】
当該装置を繋がる必要がある場合に、前折畳み体２と後折畳み体６を互いに抵接させるだけで、ロックフックは弾性体５の作動により自動的に開閉され、前折畳み体２と係止され、剛性ロッド部材を接続する折畳み継目は閉じ合うようになる。当該装置のロック解消が必要な場合に、弾性体５に力が印加されて圧縮し、レバーの作用によりロックフック４のフック状の部分が持ち上げるようになり、剛性ロッド部材を接続する折畳み継目が開くことになる。
【０００８】
また、上記した剛性ロッド部材を接続する折畳み継目であって、後折畳み板の前折畳み板と対向している面に階段７を有し、その二つの折畳み体２、６が繋がる時に、階段７が両者の間で全体の剛性を増加するように抵接されることを特徴とする。
【０００９】
また、上記した剛性ロッド部材を接続する折畳み継目であって、その弾性体は、一つ又は複数であり、圧縮ばね５を有しており、またロックピン３にはねじりばね８があり、ロックフックに与える力は、一つだけの圧縮ばね５、又は一つだけのねじりばね８、又は二つのばねを共通に使用して印加させることができることを特徴とする。
【００１０】
さらに、上記した剛性ロッド部材を接続する折畳み継目であって、ロックフック４の後端にはねじ穴が開口され、調節ねじボルト１１はねじ穴に挿し込まれ、ロックピン３を貫通するねじ１２と調節ねじボルト接続用の挟持ロックピン３とを有することを特徴とする。調節ねじボルト１１を回転することにより、ロックフック４と前折畳み体２とのロッキングを保証するように、ロックフック４のロックピン３に対する動きを調整することができる。
【図面の簡単な説明】
【００１１】
【図１】折畳み継目の繋がる前ことを示す図である。
【図２】折畳み継目の繋がる後ことを示す図である。
【図３】調節ねじボルト付きロックフックを示す図である。
【符号の説明】
【００１２】
１  ヒンジピン
２  前折畳み体
３  ロックピン
４  ロックフック
５  弾性体
６  後折畳み体
７  階段
８  ねじりばね
９、１０  剛性ロッド部材
１１  調節ねじボルト
１２  ねじ
【図１】
0003117847.tif 000003
【図２】
0003117847.tif 000004
【図３】
0003117847.tif 000005
(57)【要約】【課題】従来のコード等の収容はコード本体を結ぶなどの処置をしてその置き場所に苦慮し、使用の際は絡んだりもつれたりすることがあった。またそれに見合った巻き取り器もなかった。【解決手段】巻き取り器の側板にコード類の先端部分を挟めるように多数の切込みを入れ、反対側の側板にはフック掛が出来るように多数の穴を開けるとともにマグネットを取り付けて収納に便利にした。そしてコード類使用時は巻き線器自体を分割して一挙に開放でき、使用に軽易かつ便利な巻き線器を提供できる。【選択図】    図１
0003117848.tif 000002
【実用新案登録請求の範囲】
【請求項１】
長さが１ｍ程度のコード線等を巻き取るために円形の片方の側板には、コンセント等が挟み込めるように切れ込みが多数あり、反対側の側板にはフックが掛けられるように多数穴を空け、片面中心部には磁石マットを装着しスチール製品に取り付け可能にした汎用コード類巻き取り器。
【請求項２】
巻き取り器本体からコード類を外すときは、ロックされた部分を挟み押し下げることにより２つに分割でき、外した片方の円筒に巻き付けたコードをすみやかに脱線することが出来る汎用コード類巻き取り器。
【考案の詳細な説明】
【技術分野】
【０００１】本考案は、コード類の巻き取りと取り外し、収納に関する。
【背景技術】
【０００２】従来の巻き取り器は巻きつけた後、使用する際にコードを引っ張りながら巻きを伸ばして使用しなければならないものがある。
【考案の開示】
【考案が解決しようとする課題】
【０００３】電気機器及び中途半端な長さのコード類は線自体を結ぶ等してまとめているが、使用時には絡んだりコードを痛めたりする。まとめたコード類の収納場所も考えなければならない。使用時の巻きを伸ばす際には時間がかかる。
【課題を解決するための手段】
【０００４】本考案は上記問題を解決するためにコード類の先端を巻き線器の縁へ挟み、手により巻き取り、収納の際はマグネットによるスチール製品への磁力取り付けまたはフックに掛けての収納をする。使用の際は片側のストッパー部のロックを解除して一挙にコード類を開放できるものである。
【考案の効果】
【０００５】本考案は、従来の構成が有していた問題を解決しようとするものであり、コード類の巻き付けを容易にし、保護および収容ができ、使用時には素早く使用できることを目的とするものである。
【考案を実施するための最良の形態】
【０００６】以下、本考案の実施の形態を図１〜図２に基づいて説明する。
【実施例】
【０００７】１はコード類の先端部分（コンセント含む）を挟める切り込みである。【０００８】２はフック用に開けられた穴である。【０００９】３はスチール製品への取り付け用のマグネットである。【００１０】４は巻き取り器本体を結合・分割するためのロックである。
【図面の簡単な説明】
【００１１】
【図１】本考案の実施形態を示すコード巻き器の斜めから見た全体図
【図２】真横から見た外観図
【符号の説明】
【００１２】１  切り込み
２  穴
３  マグネット
４  ロック
５  円筒部内側
６  円筒部外側
【図１】
0003117848.tif 000003
【図２】
0003117848.tif 000004
【手続補正書】
【提出日】平成17年8月22日(2005.8.22)
【手続補正１】
【補正対象書類名】実用新案登録請求の範囲
【補正対象項目名】全文
【補正方法】変更
【補正の内容】
【実用新案登録請求の範囲】
【請求項１】
長さが１ｍ程度のコード線等を巻き取るために円形の片方の側板と反対側の側板は円筒部で接続されていて、円形の片方の側板にはコンセント等が挟み込めるように切れ込みが多数あり、反対側の側板にはフックが掛けられるように多数穴を空け、中心付近には磁石マットを装着しスチール製品に取り付け可能にした汎用コード類巻き取り器
【請求項２】
巻き取り器本体からコード類を外すときは、接続された部分を挟み押し下げることにより２つに分割でき、外した片方の円筒に巻き付けたコードをすみやかに脱線することが出来ることを特徴とする請求項１記載の汎用コード類巻き取り器
(57)【要約】【課題】身頃の上部をベルト部に巻き込んで丈を短くするような行為を困難にして規定どおりの仕様で着用させることが可能となる巻き込み防止機能付きの女学生用スカートを提供する。【解決手段】スカート１のベルト部３の後側の中間部に、ベルト部３の下縁からその下方に円弧状に突出する幅広部３ａを設ける。この幅広部３ａの内部には張りのある芯地６を貼り付ける。そしてこの幅広部３ａによりベルト部３への身頃２の巻き込みを困難にしてスカート１の丈を短くするような行為を防止する。【選択図】    図１
0003117822.tif 000002
【実用新案登録請求の範囲】
【請求項１】
スカートのベルト部の後側の中間部に、ベルト部の下縁からその下方に円弧状に突出する幅広部を設け、この幅広部により前記ベルト部に対するスカートの身頃の巻き込みを防止することを特徴とする巻き込み防止機能付き女学生用スカート。
【請求項２】
前記幅広部の内部には張りのある芯地が設けられていることを特徴とする請求項１に記載の巻き込み防止機能付き女学生用スカート。
【考案の詳細な説明】
【技術分野】
【０００１】
この考案は、学校の制服として女学生が着用する女学生用スカートに関する。
【背景技術】
【０００２】
学校の制服として着用される女学生用スカートは、その各学校ごとに所定のデザインに制定されている。そして、その所定のデザインの制服を各女学生が着用して通学することとなっている。
【考案の開示】
【考案が解決しようとする課題】
【０００３】
ところが最近、一部の女学生の間では、スカートのベルト部に身頃の上部を巻き込み、その巻き込みで裾を上げ、スカートの丈を規定より短くして着用する傾向が見受けられるようになってきている。
【０００４】
学校としては、スカートの丈を規定の長さに定め、制服としての統一性を図るようにしている。しかし、身頃をベルト部に巻き込み、スカートの丈を規定より短くなるように改変して着用すると、制服としての統一性が失われるばかりでなく、風紀の乱れにもつながりかねず、このため学校としてはそのようなスカートの改変を慎むように指導しているが、身頃の上部をベルト部へ巻き込むという手軽な手段で丈を短くすることができるため、実際にはなかなか指導どおりには行かず、苦慮しているのが実情である。
【０００５】
この考案はこのような点に着目してなされたもので、その目的とするところは、身頃の上部をベルト部に巻き込んで丈を短くするような改変行為を困難にして規定どおりの仕様で着用させることができる巻き込み防止機能付きの女学生用スカートを提供することにある。
【課題を解決するための手段】
【０００６】
この考案のスカートは、ベルト部の後側の中間部に、ベルト部の下縁からその下方に円弧状に突出する幅広部を設け、この幅広部により前記ベルト部に対するスカートの身頃の巻き込みを防止するようにしたものである。そして前記幅広部の内部には張りのある芯地を設け、ベルト部への身頃の巻き込みをより困難にする。
【考案の効果】
【０００７】
このようなスカートによれば、身頃の上部をベルト部に巻き込もうとしたときに、ベルト部の後側の中間部の幅広部によりその巻き込みが思うように行なえず、したがってその巻き込みでスカートの丈を短くしようとしてもその実行が困難となる。
【０００８】
このため、ベルト部の巻き込みでスカートの丈を短くするような行為を抑制して通常の正規の仕様のままの適正な状態でスカートを着用させることが可能となる。
【０００９】
また、通常の着用時には、ベルト部の後側中間部に一定の張りをもつ幅広部が存在することから、この幅広部が着用者の腰裏に密着し、このためスカートのずれ動きを防止することができ、また幅広部の張りにより姿勢もよくなり、さらにフィット感も増す利点がある。
【考案を実施するための最良の形態】
【００１０】
以下、この考案の実施の形態について図面を参照して説明する。
【００１１】
図１にはこの考案のスカート１を後方側から見た斜視図を示してある。このスカート１は、プリーツ付きの身頃２と、この身頃２の上部に縫付けられたベルト部３とからなる。身頃２の一側部の上部及びベルト部３の一側部はそれぞれ切り離され、その切り離し部分にファスナー４及びホック５が設けられている。そしてそのファスナー４を開閉し、ホック５を脱着することにより、スカート１を着用したり脱ぐことができるようになっている。
【００１２】
ベルト部３はその後側の中間部を除いて、2.5〜4ｃｍ程度の均等的な幅で腰周り方向に延びているが、後側の中間部においてはその幅が漸次増大する幅広部３ａとなっている。この幅広部３ａは、ベルト部３の下縁をその下方へ緩やかな円弧状に突出させることにより構成され、その最大幅Ｌが１０ｃｍ程度となっている。そしてこの幅広部３ａにおけるベルト部３の生地の内部には、張りのあるやや固めの芯地６が貼り付けられている。
【００１３】
このようなスカート１によれば、ベルト部３に身頃２の上部を巻き込んでスカート１の丈を短くしようとしたときに、ベルト部３の幅がその全周に渡って均一ではなく、後側の中間部が張りのある芯地６を備える幅広部３ａとなっており、このためこの幅広部３ａの部分に身頃２の上部を巻き込もうとしても思うように巻き込むことができず、したがってその巻き込みでスカート１の丈を短くしようとしてもそれを実行することが困難となる。
【００１４】
たとえ、身頃２を巻き込んだとしても、ベルト部３の前身の幅と後身の幅とが異なるため、身頃２の巻き込み量に大きな差が生じ、スカート１の全体の丈を均一に短くすることができず、全体の外観が崩れ、また身体へのフィット感が極端に悪くなり、実際の着用にそぐわなくなる。
【００１５】
このようなことから、ベルト部３への身頃２の巻き込みでスカートの丈を短くするような行為を防止することが可能となり、これにより通常の正規の仕様のままスカートを着用するようになる。
【００１６】
通常の着用時には、ベルト部３の後側中間部に一定の張りをもつ幅広部３ａが存在することから、その幅広部３ａが着用者の腰裏に密着し、このためスカートのずれ動きを防止することができ、また幅広部３ａの張りにより姿勢もよくなり、さらにフィット感も増す利点がある。
【図面の簡単な説明】
【００１７】
【図１】この考案の一実施形態に係る巻き込み防止機能付き女学生用スカートの全体の斜視図。
【符号の説明】
【００１８】
１…スカート
２…身頃
３…ベルト部
３ａ…幅広部
４…ファスナー
５…ホック
６…芯地
【図１】
0003117822.tif 000003
(57)【要約】      （修正有）【課題】プリーツスカートのひだを整えるアイロンがけを簡単に行う補助具を提供する。【解決手段】アルミ板本体１に装着したスライド式ストッパーにより本体２を固定する構造の補助具。スカートを整えて装着してアイロンがけを行う。【選択図】図１
0003117898.tif 000002
【実用新案登録請求の範囲】
【請求項１】
アルミ板本体１に装着したスライド式ストッパーにより本体２を固定する方式と本体のサイズ、形式によりプリーツスカートのアイロンがけが簡単に出来るアイロンがけ補助具
【考案の詳細な説明】
【技術分野】
【０００１】本考案は、学生服（女子用）のプリーツスカートにアイロンをかける時に使う補助具である。
【背景技術】
【０００２】アイロンがけの時スカートのひだを何度も整える手間がかかる為。
【考案の開示】
【考案が解決しようとする課題】
【０００３】ひだの多いスカートのアイロンがけは何度もひだを整えるという手間がかかり面倒な為、ついクリーニングに出してしまいコストがかかる。
【課題を解決するための手段】
【０００４】スカートのひだ部分を補助具で固定する。
【考案の効果】
【０００５】スカートのひだ部分を一度固定することにより、面倒なアイロンがけが誰にでも簡単に仕上げることが出来る、またクリーニング代が節約できる。
【考案を実施するための最良の形態】
【０００６】熱に強くまた軽量なアルミ板を使用。
アルミ板の両端をスライド式の止め具を使用する事により取り外しも簡単に出来る
【実施例】
【０００７】以下、添付図面に従って実施例を説明いたします。
本体１をアイロン台の上に置く、その上にスカートを整え、本体２でスカートを押さえ本体１に装着する。
図２左側の状態で上部のアイロンをかけ、図２右側の様に固定したまま補助具を移動させスカート下部のアイロンをかけ表面のアイロンがけが終了
図２左側の状態に戻し裏返し同じ動作を繰り返す。
補助具を装着したままスカートハンガーに掛けておくと折り目が綺麗な状態で維持できます。
【図面の簡単な説明】
【０００８】
【図１】補助具の形式とサイズ
【図２】スカートに装着した状態の補助具
【符号の説明】
【０００９】１  本体下部
２  本体上部
３  本体上部と下部を固定するスライド式ストッパー
【図１】
0003117898.tif 000003
【図２】
0003117898.tif 000004
(57)【要約】      （修正有）【課題】家電製品および家具等の奥行きのあるものの下、裏の狭い隙間、そして、段差のある狭い隙間を掃除するための掃除用具を提供する。【解決手段】掃除シートを着脱自在に取付けられる掃除シート取付け枠（５）と、その掃除シート取付け枠（５）を長い柄（２）と連結させるために、上下に可動可能な柄取付け部（４）、そして、掃除シート取付け枠を自由自在にコントロールすることを可能にするための適度な強度と適度な柔軟性を併せ持つ素材からなる長い柄（２）と、グリップ（３）からなる掃除用具（１）。【選択図】図１
0003117896.tif 000002
【実用新案登録請求の範囲】
【請求項１】
掃除シートと共に使用する掃除用具であって、掃除シート取付け枠（５）に、掃除シートを着脱自在に取付けるための掃除シート止め枠（７）と、掃除シート止め枠（７）に取付けられた掃除シート固定ローラー（８）を備え、該掃除シート固定ローラー（８）を保持するための掃除シート固定ローラー受け枠（６）を備え、且つ、掃除シートを安定させるための掃除シート安定マット（９）を備えたことを特徴とする掃除用具。
【請求項２】
上記掃除用具の長い柄（２）は、適度な強度と適度な柔軟性を併せ持つ素材からなっていて、また、掃除シート取付け枠（５）と、長い柄（２）を上下に動かすことを可能にする柄取付け部（４）を備えたことを特徴とする請求項１記載の掃除用具。
【考案の詳細な説明】
【技術分野】
【０００１】  本考案は、家電製品および家具等の奥行きのあるものの下、裏の狭い隙間、そして、段差のある狭い隙間を掃除するための掃除用具に関する。
【背景技術】
【０００２】  従来、掃除シートを使い隙間を掃除する掃除用のモップがある。たとえば、モップのグリップを掃除面の上部から側面に移し、また、掃除面を扁平にすることにより隙間を掃除しやすくしたものがある（特許文献１）。
また、掃除シート取付け部を伸縮させることにより細い隙間を掃除するものもある（特許文献２）。【０００３】
【特許文献１】特開平８−８９４６５号公報
【特許文献２】特開平８−２１５１２４号公報
【考案の開示】
【考案が解決しようとする課題】
【０００４】  しかしながら、従来のこの種の掃除用具においては、掃除シートを取付けた掃除面の長さの範囲しか掃除ができないことから、奥行きがあるもの、また、段差のあるものの狭い隙間を掃除することができないという欠点があった。
そこで、本考案の課題は、家電製品および家具等の奥行きのあるものの下、裏の狭い隙間、そして、段差のある狭い隙間を掃除することができる掃除用具を提供する。
【課題を解決するための手段】
【０００５】  上記課題を解決するため本考案は、掃除シートと共に使用する掃除用具であって、掃除シート取付け枠（５）に、掃除シートを着脱自在に取付けるための掃除シート止め枠（７）と、掃除シート止め枠（７）に取付けられた掃除シート固定ローラー（８）を備え、該掃除シート固定ローラー（８）を保持するための掃除シート固定ローラー受け枠（６）を備え、且つ、掃除シートを安定させるための掃除シート安定マット（９）を備えたことを特徴とする掃除用具。【０００６】  また、上記掃除用具の長い柄（２）は、適度な強度と適度な柔軟性を併せ持つ素材からなっていて、また、掃除シート取付け枠（５）と長い柄（２）を上下に動かすことを可能にする柄取付け部（４）を備えたことを特徴とする。
【考案を実施するための最良の形態】
【０００７】  以下、本考案の実施の形態を説明する。
【実施例】
【０００８】  図１に示すように、厚さ６ｍｍ前後の掃除シート取付け枠（５）に、既存の掃除シートを着脱自在に取付けるための掃除シート止め枠（７）と、掃除シートと止め枠（７）に取付けられた掃除シート固定ローラー（８）を備え、該掃除シート固定ローラー（８）を保持するための掃除シート固定ローラー受け枠（６）を備え、且つ、掃除シートを安定させるための掃除シート安定マット（９）を備えている。【０００９】  また、長さ７０ｃｍ前後、厚さ６ｍｍ前後の長い柄（２）は、適度な強度と適度な柔軟性を併せ持つ素材からなっていて、また、掃除シート取付け枠（５）と長い柄（２）を連結し、長い柄（２）を上下に動かすため、柄取付け部（４）を備えている【００１０】  図２、図３に示すように、既存の掃除シートを広げ、その上に掃除シート取付け枠（５）を乗せ、掃除シート取付け枠（５）と掃除シート止め枠（７）の両端からはみ出した掃除シートの端を内側に折り込み、掃除シート固定ローラー（８）側を持ち上げ、掃除シート固定ローラー受け枠（６）に入れ込み、掃除シートを保持する。また、掃除シート止め枠（７）に備えられた掃除シート安定マット（９）により安定した掃除面が確保される。
【考案の効果】
【００１１】  掃除用具の柄を長くし、また、適度な強度と適度な柔軟性を併せ持つ素材にすることにより奥行きのあるものの下、裏の狭い隙間、そして、段差のある狭い隙間を掃除することができ、且つ、掃除シート取付け枠は、既存の掃除シートの両面を使って掃除することができることから、効率的であり、また、経済的である。
【図面の簡単な説明】
【００１２】
【図１】本考案に係る掃除用具の平面図
【図２】本考案に係る掃除用具の既存のシート取付け斜視図
【図３】本考案に係る掃除用具の既存のシート取付け後の斜視図
【符号の説明】
【００１３】１    掃除用具本体
２    柄
３    グリップ
４    柄取付け部
５    掃除シート取付け枠
６    掃除シート固定ローラー受け枠
７    掃除シート止め枠
８    掃除シート固定ローラー
９    掃除シート安定マット
１０  掃除シート
【図１】
0003117896.tif 000003
【図２】
0003117896.tif 000004
【図３】
0003117896.tif 000005
(57)【要約】      （修正有）【課題】薬事法に基づく永久磁石磁気治療器として磁気効果を備えた肌触りのよい永久磁石付シーツを勘案し、洗濯機での洗濯の際に発生する可能性のあるトラブルを防ぐ、磁力線を放射する永久磁石を取付けた磁気治療器としての機能を有するシーツを提供する。【解決手段】肌触りのよい磁性体付シーツは、健康に良いといわれる各種機能を有する布地１と永久磁石付布地２より形成される。前記健康に良いといわれる各種機能を有する布地１と永久磁石付布地２は縫製により一体化された製品として形成される。永久磁石付布地２は、適宜取付けた複数の磁性体取付部３を持ち、永久磁石３ａがホットメルトタイプの融着材３ｂにより取付けられている。【選択図】図１
0003117900.tif 000002
【実用新案登録請求の範囲】
【請求項１】
体に良い機能を有する布地と永久磁石を適宜に取付けた布地を、縫製により一体化した磁力線を放射する永久磁石を取付け磁気治療器としても認可をもつシーツカバー。
【請求項２】
永久磁石付布地を一体化した前記シーツカバーは、数々の特徴を有する鉱石の粉末を生地表面に塗布加工又は糸に練り込んだ体によい機能繊維を用いた布地を上面に、前記永久磁石付布地を下面にして縫製した請求項１に記載の磁力線を放射する永久磁石を取付けたシーツカバー。
【考案の詳細な説明】
【技術分野】
【０００１】  本考案は、体に良好な機能を有する鉱石粉末を加工した布地に加え、磁力線を放射して就寝中にこり及び血行を改善しえる健康増進に好適なもので、特に永久磁石磁気治療器としての機能を有するシーツカバーに関するものである。
【背景技術】
【０００２】  各種鉱石の粉末を糸に練りこんだ繊維や普通の布地に各種鉱石の粉末を後加工で施した布地をシーツカバーに加工、鉱石のもつ特徴を健康増進の目的にしたものはあるが、薬事法で効能効果を認められた医療機器としてのシーツカバーは、永久磁石を取付ける方法が技術的、経済的に確立されていない為に存在しない。
【考案の開示】
【考案が解決しようとする課題】
【０００３】  従来の接着剤等を使用した磁性体の取付方法では、使用中に磁性体が脱落する可能性が否めない。また、磁性体を二枚の生地の間に散在させ、その周りを磁性体を囲いこむように縫い合わせる工法は、ミシンの針に磁石が引っ付くなど作業に手間が掛かるためコストがかかり量産化の面で問題が多い。【０００４】  本考案に係る磁力線を放射する永久磁石を布地に取付ける工法は、考案者が有する特許第２８７３７８５号を応用したもので、これにより前項の様々な難点を克服し低コストでの量産化が本登録願に結びついたものである。【０００５】  本考案に係る磁力線を放射する永久磁石を取付けたシーツカバーは、家庭用永久磁石磁気治療器として厚生労働省により平成１６年１０月に認可済である。【０００６】  前記シーツカバーは「頭部」側に袋状のポケットを設けることを特徴とする。これにより布団及びマットを装着する際に、取り付けが簡単にできる。
【課題を解決するための手段】
【０００７】  本考案に係る、磁力線を放射する永久磁石を取付けた磁気治療器としての機能を有するシーツカバーは、健康に適した各種の機能をもつ布地と永久磁石を適宜に取付けた布地を縫製により一体化したことを特徴とするものである。
【考案の効果】
【０００８】  本考案に係る磁力線を放射する永久磁石を取付けた磁気治療器としての機能を有する布地に、鉱石の粉末を表面加工し健康に適した各種の機能をもつ布地で覆うことにより肌触りをよくする。磁力線を放射する永久磁石の作用により就寝中に体調を整え、年間を通じこり及び血行の改善を図ることができる。【０００８】  さらに、磁性体をもう一枚の布地で覆うことにより洗濯の際に磁性体が他の洗濯物を傷める可能性をなくす。【０００９】  さらに、前記磁力線を放射する永久磁石を取付けた磁気治療器としての機能を有するシーツカバーは、「頭部」側に袋状のポケットを設けることにより、ふとんの端部が挿入できる。また「足部」側をふとん下側に巻き込むことにより使用時のズレを簡単に防止することができる。
【考案を実施するための最良の形態】
【００１０】  図１は、磁力線を放射する永久磁石を取付けた布地を健康に適した各種の機能をもつ布地で覆い、縫製により一体化した磁力線を放射する永久磁石を取付けたシーツカバーを示す平面図。
図２は、同じく磁気治療器としての機能を有するシーツカバーの断面略図。
図３は、磁性体取付部を示す略図である。【００１１】  本考案に係る磁力線を放射する永久磁石を取付けた磁気治療器としての機能を有するシーツは、図１および図２に示すようにカバー１と永久磁石付布地２より形成される。【００１２】  永久磁石付布地２は、図３に示すように永久磁石３ａをシート状の基布２ａに略整列状にホットメルトタイプの融着材３ｂを介して取付けられているもので、永久磁石付布地２は体調を整え、こりや血行を改善するフェライト磁石を始め、天然ラジウム粉末や他の鉱石類を混入することにより、マイナスイオン効果と遠赤外線効果を有するものである。【００１３】  図１および図２に示すように健康に良いといわれる各種機能を有する布地１と永久磁石付布地２の縫い付部４によりまた縁加工部５により一体化縫製される。
【図面の簡単な説明】
【００１４】
【図１】  永久磁石付布地を取付けた本考案に係る磁力線を放射する永久磁石を取付けた磁気治療器としての機能を有するシーツカバーを示す一部を破断した平面図である。
【図２】  同じく磁力線を放射する永久磁石を取付けた磁気治療器としての機能を有するシーツカバーを示す断面略図である。
【図３】  磁力線を放射する永久磁石を取付けた磁気治療器としての機能を有するシーツカバーのうち永久磁石付布地部にある磁性体取り付け部を示す略図である。
【符号の説明】
【００１５】  １  健康に良いといわれる各種機能を有する布地
２  永久磁石付布地
２ａ永久磁石付布地基布
３  磁性体取付部
３ａ永久磁石
３ｂホットメルトタイプの融着材
４  縫い付部
５  縁加工部
【図１】
0003117900.tif 000003
【図２】
0003117900.tif 000004
【図３】
0003117900.tif 000005
(57)【要約】      （修正有）【課題】多数の子魚等の餌取りをよくし、遠投での餌飛散等を防止するため餌を無傷で目的の棚や位置にもっていく事が出来る釣り餌防護用浮きの提供。【解決手段】半球形のプラスチック１を２つ抱き合わせにして釣り餌２と、かみつぶし３を包み込み、釣り餌を防護するようにした重り４を水中に投入し、おろしていく。この時重りによる落下速度と水圧でプラスチック１は開かない。そして目的の棚に着いたら伸縮ゴム５が縮み半球形プラスチック１は内封された空気１ａにより重り４の位置まで浮かび上がり水中浮きとなる。【選択図】図１
0003117899.tif 000002
【実用新案登録請求の範囲】
【請求項１】
餌を付けた釣り針を多数の子魚等の餌取りから守り、目的の棚に無傷でおろしていく為に、プラスチックの半球形を２つ抱き合わせにして片側に蝶番を付けて自由開閉をする様にし、目的の棚に着いたら餌を外部に放出し、プラスチックは軽い浮力により重りの下の位置まで浮いて止まるようにした餌取り防止用水中浮きである。
【請求項２】
餌を付けた釣り針を遠投すると、餌が飛散し釣り針から取れてしまうのを防ぐ為、プラスチックの半球形を２つ抱き合わせにして片側に蝶番を付けて自由開閉をする様にし、目的の位置に遠投したら餌を外部に放出し、プラスチックは適度の浮力により、そのまま浮きとして使用するようにした餌飛散防止用遠投浮きである。
【考案の詳細な説明】
【技術分野】
【０００１】  本考案は、釣り餌を狙った棚や位置に無傷で送り込む為に、半球形の２つのプラスチックで包み込む様にした釣り浮きに関するものである。
【背景技術】
【０００２】  船釣り等で、釣り餌を狙った棚におろしていく途中で、多数の子魚等の餌取りに餌を取られて釣果を下げることが多かった。又、遠投浮きでの釣りをする時に、餌を付けた釣り針を遠投すると餌が飛散し釣り針から取れてしまうことが多く、これも釣果に影響した。
【考案の開示】
【考案が解決しょうとする課題】
【０００３】  多数の子魚等の餌取りや、遠投での釣り餌飛散等が釣果におよぼす影響が大きかった。そこで釣り餌を目的の棚におろしていく為に、プラスチックの半球形を２つ抱き合わせにして包み込むことによって前述の欠点を解決しようとするものである。
【課題を解決するための手段】
【０００４】  餌を付けた釣り針を多数の子魚等の餌取りや、遠投での釣り餌飛散等を防ぐ為に、プラスチックの半球形を２つ抱き合わせにして、包み込むように防護するようにしたものである。
【考案の効果】
【０００５】  プラスチックの半球形を２つ抱き合わせにして包み込むことによって釣り餌を防護し、目的の位置で餌を外部に放出し、船釣り用は重りの所まで浮上しそのまま水中浮きとなり遠投用はそのまま浮きの役目をする。
【考案の実施するための最良の形態】
【０００６】  船釣り等の釣り方としては、まず重り４を水中に投入し、その重みでかみつぶし３と釣り餌２を半球形プラスチック１を２つ抱き合わせにして包み込むようにしたものをおろしていく。この時重りによる落下速度と水圧でプラスチック１は開かない。そして目的の棚に着いたら伸縮ゴム５が縮み半球形プラスチック１が開き、かみつぶし３と釣り餌２が外部に放出する。半球形プラスチック１は内封された空気１ａにより重り４の位置まで浮かび上がり水中浮きとなる。
又、遠投浮きでの釣り方としては、まず変形型半球形プラスチック６の内部にかみつぶし８と釣り餌７を入れ遠投する。この時遠心力と形状によりプラスチック６は開かない。そして目的の位置に落ちたら変形型半球形プラスチック６が開き、かみつぶし８と釣り餌７が外部に放出する。変形型半球形プラスチック６は内封された空気６ａにより水面まで浮かび上がりそのまま浮きとして使用する。
【図面の簡単な説明】
【０００７】
【図１】  船釣り等の餌取り防止用水中浮きの一実施例を示す断面図である。
【図２】  浮き釣り等の餌飛散防止用遠投浮きの一実施例を示す断面図である。
【符号の説明】
【０００８】  １    半球形プラスチック
１ａ  内封された空気
２    釣り餌ａ
３    かみつぶしａ
４    重り
５    伸縮ゴム
６    変形型半球形プラスチック
６ａ  内封された空気
７    釣り餌ｂ
８    かみつぶしｂ
９    開閉用金具
１０    浮き止め
【図１】
0003117899.tif 000003
【図２】
0003117899.tif 000004